(57)【要約】【課題】取付クリップを取り外す際の作業性を向上できる取付構造の提供。【解決手段】突起部２２の取付面１０２ａ側への延在方向の先側に貫通孔４０が形成されている。そのため、取り外し工具５０を、貫通孔４０を通して取付クリップ２０の突起部２２に引っ掛ける（アクセスさせる）ことができる。このとき、貫通孔４０が、第１方向Ｄ１と直交する第２方向Ｄ２に第１方向Ｄ１における長さよりも長く延びた形状を有するため、作業者は、主に貫通孔４０の第２方向Ｄ２に延びる部分を通して作業部分を視認することができる。よって、作業者は視認しながらの作業が可能となり、取り外し工具５０を用いて取付クリップ２０を取り外す際の作業性を向上させることができる。【選択図】        図６
2019078279.tif 000002
【特許請求の範囲】
【請求項１】
軸部と、該軸部の先端から延びて設けられており第１方向に可撓性を有する突起部と、からなる取付クリップが取付面側に一体成形され、被取付部に形成される取付孔に前記取付クリップが挿入されて取り付けられる、取付構造であって、
前記突起部の、前記取付面側への延在方向の先側には、前記取付面と該取付面の反対側の面とに貫通する貫通孔が形成され、
前記貫通孔は、前記第１方向に延び、かつ、該第１方向と直交する第２方向に前記第１方向における長さよりも長く延びた形状を有する、取付構造。
【発明の詳細な説明】
【技術分野】
【０００１】
本発明は、被取付部に形成される取付孔に取付クリップが挿入されて取付けられる取付構造に関する。
【背景技術】
【０００２】
特開２００３−３１４３９３号公報は、吸気ダクトの取付アームに一体成形された弾性変形可能な取付クリップ（エラストマ部）が、ラジエータサポートの被取付部に形成される取付孔に、挿入されて取付けられる技術を開示している。
【０００３】
しかし、上記公報開示の技術には、つぎの問題点がある。
車両点検時など、吸気ダクトをラジエータサポートから取り外す必要性が生じることがある。この場合、一般的には、取付クリップの両端部をピンセット形の工具でつまんで取り外すことが考えられるが、吸気ダクトの取付アームにより作業部分（工具の先端および取付クリップの両端部）が覆われているため、作業部分を作業者が視認困難である。
一方、取付アームと一体の取付クリップの代わりに、取付アームと別体のクリップを用いて取付アームをラジエータサポートに取り付けることも考えられるが、クリップが別部品であるため、部品点数が増加してしまう。
よって、一体の取付クリップを取り外す際の作業性を向上させる点において改善の余地がある。
【先行技術文献】
【特許文献】
【０００４】
【特許文献１】特開２００３−３１４３９３号公報
【発明の概要】
【発明が解決しようとする課題】
【０００５】
本発明の目的は、従来に比べて、取付クリップを取り外す際の作業性を向上できる、取付構造を提供することにある。
【課題を解決するための手段】
【０００６】
上記目的を達成する本発明はつぎの通りである。
（１）  軸部と、該軸部の先端から延びて設けられており第１方向に可撓性を有する突起部と、からなる取付クリップが取付面側に一体成形され、被取付部に形成される取付孔に前記取付クリップが挿入されて取り付けられる、取付構造であって、
前記突起部の、前記取付面側への延在方向の先側には、前記取付面と該取付面の反対側の面とに貫通する貫通孔が形成され、
前記貫通孔は、前記第１方向に延び、かつ、該第１方向と直交する第２方向に前記第１方向における長さよりも長く延びた形状を有する、取付構造。
【発明の効果】
【０００７】
上記（１）の取付構造によれば、突起部の取付面側への延在方向の先側に、取付面と取付面の反対側の面とに貫通する貫通孔が形成されているため、取付クリップを取り外すための工具（以下、取り外し工具という）を、貫通孔を通して取付クリップの突起部に引っ掛ける（アクセスさせる）ことができる。
【０００８】
このとき、貫通孔が、第１方向に延びる部分を有しているため、貫通孔に差し込んだ取り外し工具を第１方向に移動させることができる。そのため、取り外し工具を貫通孔を通して取付クリップの突起部に引っ掛けた後、取り外し工具を第１方向に移動させて突起部を撓ませることができる。よって、取り外し工具を用いて取付クリップを被取付部の取付孔から取り外すことができる。
【０００９】
また、貫通孔が、第１方向と直交する第２方向に第１方向における長さよりも長く延びた形状を有するため、作業者は、主に貫通孔の第２方向に延びる部分を通して、作業部分、すなわち取り外し工具の取付クリップへの引っ掛け部分および取付クリップの取り外し工具によって引っ掛けられる部分を、視認することができる。よって、作業者は視認しながらの作業が可能となり、取り外し工具を用いて取付クリップを取り外す際の作業性を向上させることができる。
【００１０】
また、貫通孔が、第１方向と直交する第２方向に第１方向における長さよりも長く延びた形状を有するため、貫通孔に差し込んだ取り外し工具を、第２方向に移動（スライド）させながら取付クリップの突起部に引っ掛けることができる。よって、取り外し工具の取付クリップの突起部へのアクセスが容易になり、この点においても取り外し工具を用いて取付クリップを取り外す際の作業性を向上させることができる。
【図面の簡単な説明】
【００１１】
【図１】本発明実施例１の取付構造が用いられる、吸気ダクトとその近傍の概略斜視図である。
【図２】図１におけるＡ部拡大図である。
【図３】図２のＢ−Ｂ線拡大断面図である。
【図４】図２のＣ−Ｃ線拡大断面図である。
【図５】本発明実施例１の取付構造における、取り外し工具にて取付クリップの突起部を弾性変形させたときの拡大断面図である。
【図６】本発明実施例１の取付構造における、貫通孔の模式平面図である。
【図７】本発明実施例２の取付構造の、図１のＡ部に相当する部分における拡大斜視図である。
【図８】図７のＤ−Ｄ線拡大断面図である。
【図９】本発明実施例２の取付構造における、貫通孔の模式平面図である。
【図１０】本発明実施例２の変形例を示す、貫通孔の模式平面図である。
【発明を実施するための形態】
【００１２】
図１〜図６は、本発明実施例１の取付構造を示しており、図７〜図１０は、本発明実施例２の取付構造を示している。本発明実施例１，２にわたって共通する構造部分には、本発明実施例１，２にわたって同じ符号を付してある。なお、図中ＵＰは上方を示し、ＦＲは車両前方を示す。
【００１３】
まず、本発明実施例１、２にわたって共通する構造を説明する。
本発明実施例の取付構造１０は、図１に示すように、たとえば、車両のエンジンルーム内に配設され車両のエンジンに空気を供給する吸気ダクト１００の車両前後方向の後端部を、ラジエータサポートアッパメンバ２００に取付けるのに用いられる。
【００１４】
吸気ダクト１００は、特に限定されるものではないが、エンジンルーム内に配設される図示略のエアクリーナより吸気流れ方向の上流側に設けられるダクトであり、樹脂製である。ラジエータサポートアッパメンバ２００は、図示略のラジエータを支持するラジエータサポートのアッパメンバ２００であり、金属製部材であり、車両幅方向に延在している。
【００１５】
吸気ダクト１００は、図２に示すように、取付アーム１０１を有する。取付アーム１０１は、吸気ダクト１００が取付けられるラジエータサポートアッパメンバ２００に向って延びて設けられており、その先端部は板状形状の板状部１０２とされている。板状部１０２は、ラジエータサポートアッパメンバ２００の上面２０１の上方に位置している。
【００１６】
取付構造１０は、図３、図４に示すように、板状部１０２に一体成形される取付クリップ２０と、ラジエータサポートアッパメンバ２００の被取付部２０２に上下方向に貫通して形成されており取付クリップ２０が挿入される取付孔３０と、を有する。
【００１７】
取付クリップ２０は、板状部１０２の下面（ラジエータサポートアッパメンバ２００に対向する面）１０２ａからラジエータサポートアッパメンバ２００に向って下方に突出して設けられている。すなわち、板状部１０２の下面１０２ａが、取付クリップ２０が取付けられる「取付面」となっている。取付クリップ２０は、軸部２１と、突起部２２と、を有する。
【００１８】
軸部２１は、板状部１０２からラジエータサポートアッパメンバ２００に向って下方に突出している。突起部２２は、軸部２１の先端（下端）から軸部２１に対する一側で上方に略「Ｃ」字状に延びる第１の突起部２２ａと、軸部２１の先端（下端）から軸部２１に対する他側で上方に略逆「Ｃ」字状に延びる第２の突起部２２ｂと、を有する。第１、第２の突起部２２ａ、２２ｂは、軸部２１に対して対称形状とされている。第１、第２の突起部２２ａ、２２ｂは、いずれも、先端（上端）２２ａ１，２２ｂ１が板状部１０２に達しておらず自由端となっている。突起部２２は、第１、第２の突起部２２ａ、２２ｂの両方で、上方に開放する略「Ｕ」字状とされている。
【００１９】
突起部２２は、可撓性を有している。突起部２２は、Ｕ字の両端２２ａ１，２２ｂ１が接近離反する方向、すなわち第１、第２の突起部２２ａ、２２ｂが互いに接近離反する方向である第１方向Ｄ１に、撓み（弾性変形）可能とされている。第１、第２の突起部２２ａ、２２ｂには、それぞれ、長手方向中間部に係合部２２ｃが形成されている。突起部２２の弾性変形を伴って取付クリップ２０を取付孔３０に上方から挿入していき、係合部２２ｃが取付孔３０を通り抜けて取付孔３０の縁部３０ａに係合することで、取付クリップ２０は取付孔３０（その縁部３０ａを含む）に取り付けられる。係合部２２ｃが取付孔３０の縁部３０ａに係合しているとき、第１、第２の突起部２２ａ、２２ｂの先端２２ａ１，２２ｂ１は、取付孔３０から上方に突出しており、ラジエータサポートアッパメンバ２００の上面２０１より上方に位置している。
【００２０】
係合部２２ｃが取付孔３０の縁部３０ａに係合しているとき、取付アーム１０１に設けられる当接部１０１ａがラジエータサポートアッパメンバ２００の上面２０１（板状部１０２に対向する面）に当接しており、係合部２２ｃと当接部１０１ａとでラジエータサポートアッパメンバ２００を挟み込むようになっている。そのため、係合部２２ｃと当接部１０１ａとで、ラジエータサポートアッパメンバ２００に対する取付アーム１０１（吸気ダクト１００）の上下方向のがたつきが抑制されている。
【００２１】
第１の突起部２２ａの、板状部１０２の下面１０２ａ側への延在方向の先側（上方）には、板状部１０２の下面１０２ａと該下面１０２ａの反対側の面である板状部１０２の上面１０２ｂとに貫通する貫通孔４０が形成されている。貫通孔４０は、板状部１０２を上下方向に貫通する。貫通孔４０は、板状部１０２に１個のみ設けられている。
【００２２】
貫通孔４０は、図６に示すように、平面視で、第１方向Ｄ１に延び、かつ、第１方向Ｄ１と直交する第２方向Ｄ２に第１方向Ｄ１における長さよりも長く延びた長孔部４１を有する。長孔部４１は、平面視で、角部が直角またはＲ形状とされた長方形であってもよく、長円形状であってもよく、五角形以上の多角形状であってもよい。なお、図６では、角部が直角とされた長方形である場合を示している。第１の突起部２２ａの係合部２２ｃが取付孔３０の縁部３０ａに係合しているとき、第１の突起部２２ａの先端２２ａ１は、貫通孔４０の第１方向Ｄ１における中間部で、かつ、貫通孔４０の第２方向Ｄ２における一端部またはその近傍の、下方に位置している。
【００２３】
図３、図４に示すように、長孔部４１の第１方向Ｄ１における長さは、取付クリップ２０が取付孔３０に取付けられているときにおける、第１の突起部２２ａの先端２２ａ１と軸部２１との第１方向Ｄ１における間隔よりも大とされている。図６に示すように、長孔部４１の第２方向Ｄ２における長さは、第１の突起部２２ａの第２方向Ｄ２における長さよりも大とされており、たとえば、第１の突起部２２ａの第２方向Ｄ２における長さの２倍以上とされている。
【００２４】
ここで、取付孔３０に挿入されて取り付けられている取付クリップ２０を、取付孔３０から取り外す方法を説明する。
（ｉ）まず、図３に示すように、マイナスドライバーなどの取り外し工具５０を、上方から貫通孔４０に差し込んで、取り外し工具５０の先端５１を第１の突起部２２ａの軸部２１側と反対側に位置させる。
（ｉｉ）ついで、図４に示すように、取り外し工具５０を貫通孔４０内で第１方向Ｄ１に黒矢印Ｅの方向に移動させて、取り外し工具５０の先端５１を第１の突起部２２ａの先端２２ａ１に当て、第１の突起部２２ａを軸部２１に接近する方向に押して撓ませ、第１の突起部２２ａを取付孔３０の縁部３０ａから外す。この作業は、取り外し工具５０の長手方向の中間部を貫通孔４０の第１方向Ｄ１の縁４０ａに当てながら、換言すれば支点としながら取り外し工具５０を回動（揺動）させることで、「てこの原理」を利用して行うことができる。
（ｉｉｉ）ついで、図５に示すように、取り外し工具５０で第１の突起部２２ａを撓ませた状態を維持しながら、第２の突起部２２ｂが取付孔３０の縁部３０ａから外れるまで吸気ダクト２０の全体を第１方向Ｄ１に黒矢印Ｆの方向に移動させる。
（ｉｖ）第１、第２の突起部２２ａ、２２ｂの両方が取付孔３０の縁部３０ａから外れた後、吸気ダクト２０の全体を上方に移動させて取付クリップ２０を取付孔３０から取り外す。
【００２５】
ここで、本発明実施例１，２にわたって共通する作用、効果を説明する。
【００２６】
本発明実施例では、第１の突起部２２ａの板状部１０２の下面１０２ａ側への延在方向の先側に、板状部１０２の下面１０２ａと該下面１０２ａの反対側の面である板状部１０２の上面１０２ｂとに貫通する貫通孔４０が形成されている。そのため、取付クリップ２０が板状部１０２と一体に形成されていても、取り外し工具５０を、貫通孔４０を通して取付クリップ２０の第１の突起部２２ａに引っ掛ける（アクセスさせる）ことができる。
このとき、貫通孔４０が、第１方向Ｄ１に延びる部分を有しているため、貫通孔４０に差し込んだ取り外し工具５０を、第１方向Ｄ１に移動（回動、揺動を含む）させることができる。そのため、取り外し工具５０を貫通孔４０を通して取付クリップ２０の第１の突起部２２ａに引っ掛けた後、取り外し工具５０を第１方向Ｄ１に移動させて第１の突起部２２ａを撓ませることができる。よって、取り外し工具５０を用いて取付クリップ２０を被取付部であるラジエータサポートアッパメンバ２００の取付孔３０ａから取り外すことができる。
また、図６に示すように、貫通孔４０が、第１方向Ｄ１と直交する第２方向Ｄ２に第１方向Ｄ１における長さよりも長く延びた形状を有するため、作業者は、主に貫通孔４０の第２方向Ｄ２に延びる部分を通して、作業部分、すなわち取り外し工具５０の取付クリップ２０への引っ掛け部分および取付クリップ２０の取り外し工具５０によって引っ掛けられる部分を、視認することができる。よって、作業者は視認しながらの作業が可能となり、取り外し工具５０を用いて取付クリップ２０を取り外す作業性を向上させることができる。
【００２７】
貫通孔４０が、第１方向Ｄ１と直交する第２方向Ｄ２に第１方向Ｄ１における長さよりも長く延びた形状を有するため、貫通孔４０に差し込んだ取り外し工具５０を、第２方向Ｄ２に移動（スライド）させながら取付クリップ２０の第１の突起部２２ａに引っ掛けることができる。よって、取り外し工具５０の取付クリップ２０の第１の突起部２２ａへのアクセスが容易になり、この点においても、取り外し工具５０を用いて取付クリップ２０を取り外す際の作業性を向上させることができる。
【００２８】
本発明実施例では、取付構造１０が吸気ダクト１００の車両前後方向の後端部をラジエータサポートアッパメンバ２００に取り付けるのに用いられる場合を説明したが、吸気ダクト１００がさらに別の後端部の部位でラジエータサポートアッパメンバ２００に取り付けられていたり、別の前端部の部位でフロントバンパリインフォース３００などに取り付けられている場合には、それらの取り付けの構造は本発明実施例の取付構造１０と同様の構造であってもよく、本発明実施例の取付構造１０とは異なる構造であってもよい。
【００２９】
つぎに、本発明の各実施例に特有な部分を説明する。
〔実施例１〕（図１〜図６）
本発明実施例１では、貫通孔４０の平面視形状は、上述した本発明実施例１，２にわたって共通する形状と同じ形状であり、長孔部４１のみからなる。そのため、本発明実施例１では、上述した本発明実施例１，２にわたって共通する作用、効果と同様な作用、効果を得ることができる。
【００３０】
〔実施例２〕（図７〜図ｌ０）
本発明実施例２では、貫通孔４０の平面視形状は、図９に示すように、長孔部４１に加えてさらに、長孔部４１の第２方向Ｄ２の片側端部４１ａから第１方向Ｄ１に折れ曲がって延びる延長部４２を有する。
【００３１】
長孔部４１の第２方向Ｄ２の片側端部４１ａは、長孔部４１の第２方向Ｄ２の両端部のうち、取付クリップ２０の第１の突起部２２ａから遠い側の端部である。延長部４２は、長孔部４１に連なっている。そのため、貫通孔４０は、平面視で略「Ｌ」字状となっている。
【００３２】
延長部４２は、平面視で、角部が直角またはＲ形状とされた長方形であってもよく、長円形状であってもよい。なお、図９では、角部が直角とされた長方形である場合を示している。また、延長部４２は、平面視で、図１０に示すように台形形状とされていてもよく、図示はしないが、半円形状であってもよく、五角形以上の多角形状とされていてもよい。
【００３３】
本発明実施例２では、つぎの特有な作用、効果を得ることができる。
貫通孔４０が、長孔部４１に加えてさらに、延長部４２を有するため、延長部４２を有する分だけ貫通孔４０の平面視における面積を大きくすることができる。よって、作業者は、取り外し工具５０による取付クリップ２０の取り外し時に、長孔部４１と延長部４２の両方を利用して作業部分を視認することができる。よって、視認性向上の点で有利である。
【００３４】
貫通孔４０が、長孔部４１に加えてさらに、延長部４２を有するため、延長部４２を有する分だけ貫通孔４０の平面視における面積を大きくすることができる。よって、図８に示すように、作業者は、取り外し工具５０による取付クリップ２０の取り外し時に、長孔部４１と延長部４２の両方を利用して取り外し工具５０を貫通孔４０（比較的大きな孔）に差し込むことができる。よって、取り外し工具５０を容易に貫通孔４０に差し込むことができ、取り外し作業性を向上させることができる。
【符号の説明】
【００３５】
１０  取付構造
２０  取付クリップ
２１  取付クリップの軸部
２２  取付クリップの突起部
２２ａ  第１の突起部
２２ａ１  第１の突起部の先端
２２ｂ  第２の突起部
２２ｂ１  第２の突起部の先端
２２ｃ  係合部
３０  取付孔
３０ａ  取付孔の縁部
４０  貫通孔
４０ａ  貫通孔の縁
４１  長孔部
４１ａ  長孔部の片側端部
４２  延長部
５０  取り外し工具
５１  取り外し工具の先端
１００  吸気ダクト
１０１  取付アーム
１０１ａ  当接部
１０２  板状部
１０２ａ  板状部の下面（突起部の取付面）
１０２ｂ  板状部の上面
２００  ラジエータサポートアッパメンバ
２０１  ラジエータサポートアッパメンバの上面
２０２  ラジエータサポートアッパメンバの被取付部
３００  フロントバンパリインフォース
Ｄ１  第１方向
Ｄ２  第２方向
【図１】
2019078279.tif 000003
【図２】
2019078279.tif 000004
【図３】
2019078279.tif 000005
【図４】
2019078279.tif 000006
【図５】
2019078279.tif 000007
【図６】
2019078279.tif 000008
【図７】
2019078279.tif 000009
【図８】
2019078279.tif 000010
【図９】
2019078279.tif 000011
【図１０】
2019078279.tif 000012